(57)【要約】  本発明は、経糸で杼口を形成する手段を含み、該杼口に緯糸を挿入する挿入手段を該杼口の片側または両側に配置した織機に関する。本発明の目的は、構成が極めて簡単で、制御が非常に容易化されている、冒頭に記載した織機を提供することである。これを受けて、本発明に従えば、織機は、緯糸がひとまとめにした糸玉状に形成されており、杼口挿入時、このひとまとめにした糸玉が解かれて緯糸が引延ばされることを特徴とする。これらの特徴によって、慣性質量が大きいプロジェクタイルを使用する必要がなくなり、また、杼口を通ってプロジェクタイルを移動させて減速するための関連の挿入手段および制動手段を使用する必要もなくなる。その結果、構成が極めて簡単で、制御が非常に容易化され、非常に高速化した動作が可能な織機となる。
2007521417.tif 000002
【特許請求の範囲】
【請求項１】
経糸で杼口を形成する手段を含み、杼口に緯糸を挿入する挿入手段を杼口の片側または両側に配置した織機において、緯糸がひとまとめにした糸玉状に形成されており、杼口挿入時、ひとまとめにした糸玉が解かれて緯糸が引延ばされることを特徴とする織機。
【請求項２】
挿入手段は、杼口挿入時、糸玉から突出した糸の部分でひとまとめにした糸玉を固定することを特徴とする、請求項１に記載の織機。
【請求項３】
挿入手段は、糸の部分を固定する保持部を含むことを特徴とする、請求項２に記載の織機。
【請求項４】
ひとまとめにした糸玉自体の形状は、変化しないことを特徴とする、請求項１〜３のいずれか１項に記載の織機。
【請求項５】
ひとまとめにした糸玉の緯糸には、接着剤が付与されていることを特徴とする、請求項４に記載の織機。
【請求項６】
前記接着剤は、糊であることを特徴とする、請求項５に記載の織機。
【請求項７】
前記接着剤は、ロウであることを特徴とする、請求項５に記載の織機。
【請求項８】
前記接着剤は、氷であることを特徴とする、請求項５に記載の織機。
【請求項９】
ひとまとめにした糸玉は、キャリアを用いて、杼口を通って移動可能であることを特徴とする、請求項１〜８のいずれか１項に記載の織機。
【請求項１０】
ひとまとめにした糸玉は、キャリアに１回以上巻き回されて配置されることを特徴とする、請求項９に記載の織機。
【請求項１１】
キャリアは、ひとまとめにした糸玉を少なくとも部分的に包むことを特徴とする、請求項９に記載の織機。
【請求項１２】
キャリアは、プラスチックなどの剛体材料からなることを特徴とする、請求項１１に記載の織機。
【請求項１３】
キャリアは、箔などの可撓性材料からなることを特徴とする、請求項１１に記載の織機。
【請求項１４】
挿入手段は、一端が開口して杼口に向けられ、他端が圧力媒体を供給する手段に接続可能である細長い管を含むことを特徴とする、請求項１〜１３のいずれか１項に記載の織機。
【請求項１５】
前記圧力媒体は、空気であることを特徴とする、請求項１４に記載の織機。
【請求項１６】
前記圧力媒体は、水であることを特徴とする、請求項１４に記載の織機。
【請求項１７】
緯糸は、所定の限定された長さを有し、少なくとも一端が糸玉から突出していることを特徴とする、請求項１〜１６のいずれか１項に記載の織機。
【請求項１８】
挿入手段は、糸の中間部分で相互に連結された複数の糸玉状の緯糸を次々と杼口に挿入するように構成されていることを特徴とする、請求項１〜１７のいずれか１項に記載の織機。
【請求項１９】
前記複数の糸玉状の緯糸は、１本の糸からなることを特徴とする、請求項１８に記載の織機。
【請求項２０】
前記複数の糸玉状の緯糸は、巻きつけ部に１回以上巻き回されていることを特徴とする、請求項１８に記載の織機。
【請求項２１】
請求項１〜２０のいずれか１項に規定される、経糸で杼口を形成する手段を含み、杼口に緯糸を挿入する挿入手段を杼口の片側または両側に配置した織機において使用されることを特徴とする緯糸。
【発明の詳細な説明】
【発明の詳細な説明】
【０００１】
本発明は、経糸で杼口を形成する手段を含み、該杼口に緯糸を挿入する挿入手段を該杼口の片側または両側に配置した織機に関する。
【０００２】
上述のような織機は、たとえばオランダ国特許出願公開第７３／０９８５０号明細書から、一般に知られている。この種の織機は、給糸ボビンからの緯糸がシャトルとも呼ばれるプロジェクタイルに連結され、このプロジェクタイルは、圧縮空気などの圧力媒体を利用し、該杼口の片側に設置された挿入手段によって、発射され、杼口に設置されたガイドを介して杼口を通過する。
【０００３】
この公知機械の欠点は、移動開始時点、すなわち挿入手段がある位置において、プロジェクタイルが杼口を通って移動するために必要とされる全エネルギがプロジェクタイルに伝わっていなければならないことである。プロジェクタイルが合理的な幅の杼口を通過するために、その移動開始時点において、プロジェクタイルに大きなエネルギが供給されている。このことは、初速度が非常に大きいということを意味し、運ばれるべき緯糸にかかるピーク張力が高くなる。さらに、このことは、プロジェクタイルの慣性質量が非常に大きいことが必要であるということを意味している。公知の織機のこれらの特徴は、速度ならびに製造する織物の複雑性および最大幅に関して、その機能性に制限を課している。
【０００４】
上述の制限は、オランダ国特許出願公開第１００４１７３号明細書に記載されている織機によって部分的に克服される。この織機には、杼口に補助ブロワが設置されており、この補助ブロワは、杼口内のプロジェクタイルの移動を助けるように、作動中、案内されるプロジェクタイルの衝突面に作用する圧力媒体の流出口を備える。これらの特徴によって、プロジェクタイルが杼口を通過するために必要とされる全エネルギを、杼口の入口でプロジェクタイルに伝える必要がなくなる。補助ブロワを使用すると、杼口の幅が制限されることは事実上なくなるが、依然として慣性質量が大きいプロジェクタイルを使用する必要があり、公知の織機におけるこの実施形態では、その構成および制御が複雑化している。
【０００５】
本発明の目的は、構成が極めて簡単で、制御が非常に容易化されている、冒頭に記載した織機を提供することである。これを受けて、本発明に従えば、織機は、緯糸がひとまとめにした糸玉状に形成されており、杼口挿入時、このひとまとめにした糸玉が解かれて緯糸が引延ばされることを特徴とする。上述の特徴によって、慣性質量が大きいプロジェクタイルを使用する必要がなくなり、また、杼口を通ってプロジェクタイルを移動させて減速するための関連の挿入手段および制動手段を使用する必要もなくなる。その結果、構成が極めて簡単で、制御が非常に容易化された織機となる。
【０００６】
軽量部品（重量が大きい部品は一切使用しない）によって、さらに本発明の織機の動作速度を著しく向上させることが可能になり、たとえば、杼口に緯糸を挿入する挿入速度を時間という観点において著しく向上させた高速製織が可能になる。より具体的には、挿入時に、糸それ自体よりもむしろ糸玉に力がかけられる。緩んだ糸が１本１本杼口に挿入されることがなくなるので、挿入される緯糸が糸玉状であれば、挿入時に挿入手段によってかけられる加速力を受けるのは、（糸よりもむしろ）糸玉であることから、糸にピーク張力がかからなくなる。
【０００７】
杼口への挿入時に糸玉を解いて緯糸にすることは段階的に行われるので、緯糸には実質的に一定の低い張力がかかるだけで、現在知られている織機におけるような、急な制動作用で通常生じるピーク張力はかからない。
【０００８】
特定の実施形態において、ひとまとめにした糸玉を解いて杼口内で緯糸を引延ばすことに関する改良を施すために、杼口への挿入時、糸玉から突出した糸の部分でひとまとめにした糸玉を固定するように挿入手段を配置する。そのために、挿入手段は、この糸の部分を固定する保持部を含んでいてもよい。
【０００９】
本発明に従えば、織機が動作中に正しく機能することを保証し、織機の不良、停止、または故障を防止して最適な製織物を得るために、ひとまとめにした糸玉自体の形状は変化しない。
【００１０】
特定の実施形態において、織機の動作中に糸玉状の緯糸が正しく挿入されることを保証するために、ひとまとめにした糸玉の緯糸には接着剤またはロウなどの結合剤が付与されている。別の実施形態においては、結合剤として氷、特に「ドライアイス」が使用される。
【００１１】
本発明に係る織機の別の実施形態において、ひとまとめにした糸玉は、キャリアを用いて、杼口を通って移動可能である。ひとまとめにした糸玉は、キャリアに１回以上巻き回されて配置されればよく、特定の実施形態において、キャリアはひとまとめにした糸玉を少なくとも部分的に包む。後者の実施形態において、ひとまとめにした糸玉は一定の形状を有する必要はないが、覆いが存在する結果、糸玉はその形状を維持することになる。
【００１２】
挿入された後、糸玉は、杼口を通って移動する間に解かれる。糸玉が解かれて緯糸が引延ばされた瞬間、キャリアの覆いは、たとえば新しい糸玉を形成するために、杼口の端で捕らえられて排出される。
【００１３】
特定の実施形態において、キャリアは、プラスチックなどの剛体材料または箔などの可撓性材料からなる。両方の実施形態において、糸玉状の緯糸は、その外部形状が変化することはないが、依然として慣性質量を有する。
【００１４】
特定の実施形態において、挿入手段は細長い管を含み、この管は、その一端が開口して杼口に向けられ、他端が圧力媒体を供給する手段に接続可能である。前記圧力媒体は、圧縮空気または水であってよい。
【００１５】
糸玉状の緯糸の特定の実施形態において、緯糸は、所定の限定された長さを有し、少なくとも一端が糸玉から突出している。別の機能的な実施形態において、複数の糸玉状の緯糸が糸の中間部分で相互に連結されており、これらの糸玉状の緯糸は、挿入手段によって実質的に次々と杼口に挿入されることが可能である。この複数の糸玉状の緯糸は、１本の糸からなっていてもよく、巻きつけ部に１回以上巻き回されていてもよい。
【００１６】
本発明は、本願において説明する緯糸にも関する。
図面を参照して、本発明をより詳細に説明する。
【００１７】
図１および図２には、公知の織機、たとえばオランダ国特許出願公開第７３／０９８５０号明細書またはオランダ国特許第１００４１７３号明細書に記載されている機械の実施形態が示されている。
【００１８】
公知の織機はスレー１と、経糸供給ボビン５から供給される経糸４の杼口３を形成する手段２を含む。全体でいわゆる「リード」を形成する凹部６は、スレー１に多数配列されて、経糸４間を移動可能である。ガイド７は、プロジェクタイル８を一方側から他方側へと案内するために、スレー１に多数配列されている。
【００１９】
図示されているとおり、プロジェクタイル８が、杼口３の左側に配置される挿入ステーション９にあり、制動ステーション１０が、杼口３の他方側に配置される。給糸ボビン１２から供給される緯糸１１は、公知の方法でプロジェクタイル８に連結されることが可能である。圧縮空気または水などの圧力媒体によって、かなりの衝撃エネルギがプロジェクタイル８に伝えられる。この結果、プロジェクタイル８は、緯糸１１を伴って加速され、高速で杼口３を移動、すなわち「発射」させられる。したがって、プロジェクタイル８は、シャトルとも呼ばれる。
【００２０】
高速で杼口３を移動するプロジェクタイル８は、杼口３の他方側で減速しなければならない（図１の右側）。そのため、制動ステーション１０は杼口３の脇に直接配置されており、プロジェクタイルが杼口３を離れると、それを捕らえて減速させる。同様に、プロジェクタイル８は、挿入ステーション９と同様に杼口３の右側に配置された挿入ステーション９’（図示せず）によって、杼口３の右側から左側に高速で移動（発射）させられ得る。
【００２１】
制動ステーション１０’（図示せず）は、杼口３の右側から左側に移動するプロジェクタイル８を捕らえて減速させるために、挿入ステーション９の位置にさらに配置される。
【００２２】
プロジェクタイル８の慣性質量が大きく、しばしば杼口３の幅Ｌが大きいと、プロジェクタイル８が相対的に高速で杼口３を通って移動させられることが必要である。このように生じた加速力は、共に運ばれる緯糸１１に不所望のピーク張力をかけることになり、糸切れの原因になりかねない。これに加えて、高速で杼口を通って移動するプロジェクタイル８は、杼口の端で捕らえられて、別の制動ステーション１０（１０’）によって減速させられなければならない。前記の減速も、特に、緯糸がプロジェクタイルを減速するために使用される状況において、緯糸に不所望のピーク張力をかけることになる。
【００２３】
特に、緯糸１１に不所望のピーク張力をかけないようにするためには、杼口３に「発射」されるプロジェクタイル８の初速度が低くなければならないが、そうすることによって杼口３の最大幅も制限されることになる。主に杼口３内のプロジェクタイル８の移動を案内するように機能するガイド７を媒体ブロワとして具体化することは、先行技術においてすでに提案されている。この媒体ブロワは、スレー１上に載置され、媒体供給ライン１７に接続されている。各ガイド７は、電磁バルブ１８を介して媒体供給ライン１９に接続されてもよい。
【００２４】
各ガイド７は、プロジェクタイル８の搬送方向に向いた媒体流出口（図１には図示せず）を備える。媒体流出口は、プロジェクタイル８の衝突面に向けられているので、開口から流出する加圧された媒体は、この衝突面に作用し、このようにして媒体からプロジェクタイル８にエネルギが伝わる。したがって、補助ブロワ７は、杼口３内のプロジェクタイル８の移動を助け、そうすることによって、挿入ステーション９がプロジェクタイルに伝えるべき高い初速度は必要でなくなる。
【００２５】
公知の織機はいかなる場合であっても、その構成によって、緯糸１１のピーク張力を下げることになる。杼口から辿着いた緯糸１１およびプロジェクタイル８を減速する制動ステーション１０は、織機の高価な部品であるが、依然として必要であるので、公知の織機は、依然として一定程度の複雑性がある。
【００２６】
図３ａ〜図３ｄは、本発明に係る織機の重要な特徴を有する特定の実施形態を示す。
本発明に従えば、緯糸１１は、糸玉２０状に形成されており、結合剤または接着剤２２などを使用することによって、その形状が変化しないようにされることが好ましい。図３ａにおいて、前記結合剤または接着剤２２は、糊であってもよい。また、ロウも、緯糸１１の形状を変化させないものであれば、非常に適していると思われる。糸玉２０が杼口３を通って移動する間に崩れ、緩んだ糸の塊になる、といった不可避的に製織不良および／または機械の不具合を招くようなことは、この接着剤によって防がれる。
【００２７】
糸玉２０から突出した糸の部分２１で糸玉２０を固定することによって、糸玉２０は、杼口３を移動中に解かれ、完全に解かれると緯糸１１となって引延ばされる。本発明に従えば、各糸玉２０は、完全に解かれると杼口３の幅Ｌと同じ長さになる。図４も参照されたい。
【００２８】
図３ｂおよび図３ｃはそれぞれ、キャリア２３，２４に囲まれる糸玉２０状に形成される緯糸１１の他の実施形態を示す。図３ｂにおいて、キャリア２３は、硬質であるが軽量のプラスチックからなるケース状であり、糸玉２０を囲んでいる。このスリーブは、開口２３ａを有し、これによって、この集合体を杼口に挿入する前に糸玉２３を設置することが可能になる一方、ケース２３にある糸玉２０を解くことも可能になる。
【００２９】
糸玉２０が完全に解かれて緯糸１１が引延ばされた瞬間、キャリア２３は杼口３から離れ、再利用などのために杼口３の外側で捕らえられる。
【００３０】
図３ｃは、キャリアが箔などの可撓性材料からなる同様の実施形態を示す。図３ｂの実施形態と同様、この実施形態において、糸玉２０自体の形状が変化することはなく、その形状は、糸玉２０を囲むキャリア２４によって決まる。その結果、糸玉２０は所定の慣性質量も有することになり、これによって、前記糸玉２０が圧力媒体によって杼口３を移動させられるようになる。
【００３１】
糸玉２０状をなしている緯糸１１は、杼口３を通って移動する間、２４ａを付した箇所でフォイルケース２４から解かれる。杼口３の端において、糸玉２０は完全に解かれて緯糸１１が引延ばされ、フォイルケースは廃棄物とみなされて、その軽量さから、たとえば排出されることによって容易に分離および放出されることが可能である。
【００３２】
図３ａに示したような、それ自体の形状が変化しない糸玉２０状に形成される緯糸１１に関する別の実施形態では、氷、特にドライアイスを結合剤または接着剤として使用する。この実施形態は、たとえば糸玉２０を水で湿らせて実質的に凍結させることによって実現してもよい。氷粒子は、緯糸１１が杼口を通って移動する間に糸玉２０から引張り出される位置で破砕されることになる。
【００３３】
糸玉２０は、この方法の場合でも形状が変化しないように、形成時に固体炭酸（ドライアイス）を使用して圧縮することが可能である。この場合も、二酸化炭素の氷は、糸玉２０が杼口３に挿入される時に破砕されることになる。この二酸化炭素の氷は、杼口３内で実質的に気化する。
【００３４】
さらに別の実施形態が図３ｄに示されており、この実施形態において、緯糸１１は１回以上の巻き２０ａ〜２０ｆでキャリア２５に巻き回されて、糸玉２０を形成している。このキャリアも慣性質量が小さく、適切な挿入手段によって杼口３を通って移動させられる、すなわち「発射」が可能である。緯糸１１は、杼口３を通って移動する間にキャリア２５から解かれることになる。この場合も、キャリア２５を杼口３の端で捕らえて再利用することが可能である。
【００３５】
上述の全実施形態において、糸玉２０は、慣性質量が小さい手段を追加することによって、それ自体に一定の一貫性が付与されている。この一貫性によって、挿入手段の位置に糸玉を合わせるなど、糸玉の扱いがより容易になる。さらに、圧力媒体を使用し、挿入手段によって糸玉を非常に高速で杼口に挿入すること、または「発射」することも可能になる。
【００３６】
また、外付けの別の補助手段（接着剤、ケース、またはキャリア）を使用することなく、特定の方法で緯糸１１を巻いて、その巻きつけ方法を使用した結果として、形状が変化しない同様の糸玉２０とすることも可能である。この実施形態は、図３ｅに示される。この実施形態でも、圧力媒体を使用し、挿入手段によって非常に高速で杼口に挿入することが可能である。
【００３７】
図４は、本発明に係る織機に使用する挿入手段の実施形態を示している。図１において９を付した挿入手段は、杼口３に向けられた開口３０ａを有する直方体３０を含む。他端３０ｂは、圧力媒体を供給する手段に接続可能、または連結可能な開口を有する。
【００３８】
事実上、発射管として機能する細長い管３０の内部には、図２Ａ〜図２Ｄに示すような実施形態のいずれかひとつに係る糸玉２０状に形成された緯糸１１がある。糸玉２０から突出した糸の部分２１は、３０ｃを付した箇所で発射管３０に固定される。開口３０ｂを介して、管３０と糸玉２０との間の空間３１に一定量の圧力媒体Ｐを供給することによって圧力が高められる結果、糸玉２０は管から杼口３へ発射される。３０ｃが付された箇所で糸の部分２１を発射管３０に固定することによって、杼口３において、発射された糸玉２０が解かれ、緯糸１１が完全な長さに引延ばされる。糸玉２０が発射されると、挿入手段９は、次の糸玉２０を杼口３に挿入する準備を行うことが可能である。
【００３９】
新しい糸玉２０を保持して発射する管３０の「装着」および「取外し」の繰返しは、特に、各糸玉２０が糸の中間部分２１で相互に連結される場合、さらに自動化が可能であり、この新しい糸玉２０は、杼口３に発射後に解かれ、長さが杼口３の幅Ｌと実質的に等しい緯糸１１が引延ばされる。
【００４０】
この実施形態は図５ａに示されており、解かれた状態の長さが杼口３の幅Ｌと等しいか、これよりもわずかに短い、ひとまとめにした緯糸１１１〜１１６をそれぞれ含む複数の糸玉２０１〜２０６が示されている。図４も参照されたい。杼口３内で糸玉２０１〜２０６を解いて緯糸１１を引延ばすことができるように、糸の中間部分２１１〜２１６が挿入手段９に固定されることになる。
特定の実施形態において、各糸玉２０１〜２０６は１本の糸２６からなる。
【００４１】
図５ｂは、挿入手段９のさらに別の特定の実施形態を示しており、発射管３０に加えて、巻きつけ部３５も含まれ、この巻きつけ部３５上には、糸玉２０１〜２０１０状に形成された各緯糸１１１〜１１１０が１回以上巻き回されて配置される。巻きつけ部３５が回転すると、糸玉２０１〜２０１０の巻取りは発射管３０の開口３０ｃの方向に向かって解かれる。開口３０ｃは、管が開口して再度閉口するたびに糸の中間部分２１１〜２１２を固定し、糸玉２０２を通過させるために、一時的に開口して再度の閉口することが可能である。
【００４２】
開口３０ｂを介して圧力媒体を供給することによって、糸玉は杼口３に発射されて解かれ、緯糸１１２が引延ばされる。
【００４３】
本明細書では、圧力媒体（圧縮空気または水噴射）を使用し、ひとまとめにした糸玉が挿入手段によって杼口に挿入されることを基本として、本発明を説明してきたが、挿入手段のこの特徴は、過度に限定的に解されてはならない。また、挿入手段は、衝撃を伝達することによって、ひとまとめにした糸玉またはキャリアを部分的に移動させるものであれば、その他の変形も可能である。また、このような変形は添付の請求項の範囲に含まれると考えられる。
【図面の簡単な説明】
【００４４】
【図１】先行技術に係る織機を示す。
【図２】先行技術に係る織機を示す。
【図３ａ】本発明に係る糸玉状の緯糸の様々な実施形態を示す。
【図３ｂ】本発明に係る糸玉状の緯糸の様々な実施形態を示す。
【図３ｃ】本発明に係る糸玉状の緯糸の様々な実施形態を示す。
【図３ｄ】本発明に係る糸玉状の緯糸の様々な実施形態を示す。
【図３ｅ】本発明に係る糸玉状の緯糸の様々な実施形態を示す。
【図４】本発明に係る織機の挿入手段の実施形態を示す。
【図５ａ】本発明のさらなる特徴を示す。
【図５ｂ】本発明のさらなる特徴を示す。
【図１】
2007521417.tif 000003
【図２】
2007521417.tif 000004
2007521417.tif 000005
【図４】
2007521417.tif 000006
2007521417.tif 000007
【国際調査報告】
2007521417.tif 000008
2007521417.tif 000009
2007521417.tif 000010
2007521417.tif 000011